(57)【要約】【課題】  映像音声をケーブルで伝送しないため、ケーブルの延長が必要ない無線映像音声伝送装置を提供する。【解決手段】  無線映像音声伝送装置１００は、無線トランシーバ装置１０４、１１０、１１２、制御ユニット２０４、およびチューナーカードを備えている。この構成により、ケーブル１０２により伝送された映像音声信号を無線伝達信号に変換して放送し、放送範囲内にある受信ターミナル１０６、１０８のみがこの放送信号を受信し、要求した番組を見ることができる。【選択図】  図２
2005151522.tif 000002
【特許請求の範囲】
【請求項１】
外部に接続するケーブルにより、前記ケーブル上の映像音声を少なくとも一つの受信ターミナルへ無線伝送する無線映像音声伝送装置であって、
前記受信ターミナルが伝送するチャンネル要求信号を受信し、対応するチャンネル映像音声信号を前記受信ターミナルへ伝送する無線トランシーバ装置と、
前記無線トランシーバ装置に接続し、前記無線トランシーバ装置が伝送する前記チャンネル要求信号を受信する制御ユニットと、
前記ケーブルと直列に接続し、前記制御ユニットにより前記チャンネル要求信号に基づいて制御され、前記ケーブルにより伝送される関連チャンネルの映像音声信号にアクセスし、前記映像音声信号を表示器が表示する標準に合致した画像信号および音声信号に変換する少なくとも一つのチューナーカードと、
を備えることを特徴とする無線映像音声伝送装置。
【請求項２】
前記受信ターミナルは、卓上型コンピュータ、パーム型携帯装置またはポータブルコンピュータであることを特徴とする請求項１記載の無線映像音声伝送装置。
【請求項３】
前記表示器は、液晶表示器であることを特徴とする請求項１記載の無線映像音声伝送装置。
【請求項４】
前記無線トランシーバ装置が伝送する信号は、８０２．１１ベースの無線信号であることを特徴とする請求項１記載の無線映像音声伝送装置。
【請求項５】
前記チューナーカードの使用を配分するアプリケーションソフトウェアをさらに有することを特徴とする請求項１記載の無線映像音声伝送装置。
【請求項６】
前記無線トランシーバ装置は、アンテナであることを特徴とする請求項１記載の無線映像音声伝送装置。
【請求項７】
前記画像信号および前記音声信号を保存する保存装置をさらに備えることを特徴とする請求項１記載の無線映像音声伝送装置。
【請求項８】
表示器を有する少なくとも一つの受信ターミナルと、外部に接続するケーブルで該ケーブル上の映像音声信号を少なくとも一つの受信ターミナルへ無線伝送する無線映像音声伝送装置とを備える無線映像音声伝送システムであって、
前記無線映像音声伝送装置は、
前記受信ターミナルが伝送するチャンネル要求信号を受信し、対応するチャンネル映像音声信号を前記受信ターミナルへ伝送する無線トランシーバ装置と、
前記無線トランシーバ装置に接続し、前記無線トランシーバ装置が伝送する前記チャンネル要求信号を受信する制御ユニットと、
前記ケーブルと直列に接続し、前記制御ユニットにより前記チャンネル要求信号に基づいて制御され、前記ケーブルにより伝送される関連チャンネルの映像音声信号にアクセスし、前記表示器が表示する標準に合致する画像信号および音声信号に変換する少なくとも一つのチューナーカードと、
を備えることを特徴とする無線映像音声伝送システム。
【請求項９】
前記受信ターミナルは、卓上型コンピュータ、パーム型携帯装置またはポータブルコンピュータであることを特徴とする請求項８記載の無線映像音声伝送システム。
【請求項１０】
前記表示器は、液晶表示器であることを特徴とする請求項８記載の無線映像音声伝送システム。
【請求項１１】
前記無線トランシーバ装置が伝送する信号は、８０２．１１ベースの無線信号であることを特徴とする請求項８記載の無線映像音声伝送システム。
【請求項１２】
前記チューナーカードの使用を配分するアプリケーションソフトウェアをさらに有することを特徴とする請求項８記載の無線映像音声伝送システム。
【請求項１３】
前記無線トランシーバー装置は、アンテナであることを特徴とする請求項８記載の無線映像音声伝送システム。
【請求項１４】
前記無線映像音声伝送装置は、前記画像信号および前記音声信号を保存する保存装置をさらに有することを特徴とする請求項８記載の無線映像音声伝送システム。
【発明の詳細な説明】
【技術分野】
【０００１】
本発明は、伝送システムに関し、特に、無線映像音声伝送システムに関する。
【背景技術】
【０００２】
従来、テレビは日常生活において画像データの主な情報源となっており、人々はテレビから天気概況、社会最新ニュースあるいは娯楽情報などを得ている。しかし、テレビは単なる表示装置であり、ビデオデータを外部から受信して表示画面に変換しなければならなかったため、外部に接続する一本のケーブルによりビデオデータをテレビに提供する必要があった。
【０００３】
ただし、一般家庭では通常、リビングルームあるいはメインベッドルームだけにケーブルが配線されているため、他の部屋でテレビを見る時には、ケーブルを延長するか壁に穴を開けて他の部屋にケーブルを配線しなければならなかった。そのため、これは不便なだけでなく、屋内の美観にも悪い影響を与えた。
【０００４】
一方、各部屋にテレビケーブルを配線する場合、一般家庭ではテレビを複数台購入するとは限らず、コンピュータスクリーンなどのその他の表示装置によりテレビ番組を視聴するときは、外部に接続するケーブル以外に、テレビカードあるいはテレビボックスをコンピュータへ設置してケーブルを接続しなければならなかった。もしコンピュータがケーブルの配線場所にない場合、同様にケーブルを延長してテレビカードまたはテレビボックスへ接続しなければならなかったため、同じように不便であった。
【発明の開示】
【発明が解決しようとする課題】
【０００５】
したがって、本発明の主な目的は、ケーブルで映像音声を伝送せず、ケーブルを延長する必要もない無線映像音声伝送装置を提供することにある。
本発明のもう一つの目的は、ケーブルが配線されていない部屋でも映像音声番組を視聴可能な無線映像音声伝送装置を提供することにある。
本発明のさらにもう一つの目的は、無線伝送により遠隔するコンピュータ表示装置に関連した画像を表示する無線映像音声伝送装置を提供することにある。
【課題を解決するための手段】
【０００６】
本発明の無線映像音声伝送装置は、ケーブルにより伝送された映像音声信号を無線伝達信号に変換して放送し、放送範囲内にある受信ターミナルのみが、この放送信号を受信して要求した番組を見ることができる。
【発明の効果】
【０００７】
本発明の無線映像音声伝送装置は、無線伝送方式により受信した映像音声信号を遠隔する受信装置上へ伝送し、受信装置の表示スクリーン上に映像音声信号に対応する画面を表示することができる。無線伝送方式を使用することにより、ケーブルの束縛から開放されて、二次施行による不便性と建物の外観が破壊されることを防ぐことができる。
【発明を実施するための最良の形態】
【０００８】
以下、本発明の精神と応用範囲だけに制限されないという条件の下、実施例を紹介する。この分野の技術を熟知するものなら、本発明の精神を理解した後、本発明の無線映像音声伝送装置を様々な伝送産品中に応用することができる。従来、外部に接続するケーブルによる映像音声の伝送方法は、しばしば二次施行により伝達範囲を拡大する必要があり、これは不便なだけでなく既存建物の外観をも破壊した。これに鑑み、本発明は無線伝送方式により、受信した映像音声を遠隔受信装置上に伝送し、受信装置の表示スクリーン上へ映像音声信号に対応した画面を表示する無線映像音声伝送装置を提供する。以下、実施例により本発明の応用を説明するが、ここで注意しなければならないことは、この実施例は本発明の応用範囲を限定するものではないということである。
【０００９】
所謂コードレスライフとは、自主的能力による真の行動、つまりケーブルという束縛から開放されて、何時でも何処でも仕事と娯楽を楽しむことができる快適な生活のことである。従来、映像音声番組を見るため、ケーブルの配線位置をしばしば変更する必要があった。これは不便なだけでなく、二回の施行によりケーブルの伝送距離を伸ばす必要もあった。そのため、本発明の無線伝送装置は、ケーブルの束縛から開放することができる。
【００１０】
図１は、本発明の一実施例による無線映像音声伝送装置を用いた映像音声の伝送を示した概略図である。受信ターミナル１０６で画像を受信する時、無線トランシーバ装置１１０により無線映像音声伝送装置１００へ見たい番組チャンネルを告知する。そして、無線映像音声伝送装置１００がこの要求信号を受信した後、外部から受信した伝送画像音声信号にケーブル１０２上で、このチャンネルに対応した映像音声信号にアクセスする。これとともに、この映像音声信号に対してデコードおよび圧縮を行ってから、無線トランシーバ装置１０４により圧縮されたデジタル映像音声信号を受信ターミナル１０６へ伝送し、受信ターミナル１０６で圧縮を解凍すると受信ターミナルの表示スクリーン上で要求したチャンネル番組を表示することができる。この表示スクリーンはＣＲＴまたは液晶表示器でもよい。
【００１１】
ここで注意しなければならないことは、無線信号を受信する能力を備えた装置であれば、本実施例で説明した受信ターミナルとすることができる点である。例えば、デスクトップ型コンピュータ、パーム型携帯装置、ポータブルコンピュータなどである。本実施例では、無線信号に８０２．１１ベースの無線信号を使用しているが、その他の無線伝送規格の信号を使用してもよい。
【００１２】
つまり、本実施例の無線映像音声伝送装置は、ケーブルにより伝送された映像音声信号を無線伝送信号に変換して放送し、受信ターミナルはこの放送信号を放送範囲内でのみ受信し、要求した番組を受信することができる。一方、本発明を適用した無線映像音声伝送装置は一つだけでなく複数の受信ターミナルにサービスを提供することもでき、それぞれケーブルで要求したチャンネルに対応する映像音声信号にアクセスして受信ターミナルへ無線で伝送する。
【００１３】
図２の概略図が示すように、本実施例の無線映像音声伝送装置１００は、主機板２００、制御ユニット２０４および一つ或いは複数のチューナーカードＴ１、Ｔ２…Ｔｎ（Tuner Card）を少なくとも含む。チューナーカードはＰＣＩ接続ポートにより主機板２００に接続されるが、これだけに限定されるわけではない。チューナーカードＴ１、Ｔ２…Ｔｎは外部に接続するケーブル１０２で一定の周波数と帯域幅を有する標準映像音声信号を受信した後、画像および音声をチューニングし、最後に表示スクリーンの表示標準に合致する画像信号および音声を出力するとともに、無線トランシーバ装置１０４から発信する。そしてチューナーカードＴ１、Ｔ２…Ｔｎを直列に接続して主機板２００上に配列し、ケーブル１０２が伝送する映像音声信号を共有する。
【００１４】
制御ユニット２０４は、受信ターミナルが伝送するチャンネル要求信号を伝送した後、アイドル状態にあるチューナーカード一つを制御し、要求した映像音声信号にケーブル１０２上でアクセスする。もう一つの実施例中では、この無線映像音声伝送装置１００に保存装置２０６を加えることもでき、制御ユニット２０４がこの記憶装置２０６を制御し、ケーブル１０２が伝送する映像音声信号を保存する。つまり、受信ターミナルは無線伝送チャンネル信号を要求する以外に、無線映像音声伝送装置１００がチャンネル信号をコピーしておき、視聴することを後日要求することもできる。ここで注意しなければならないことは、受信ターミナル１０６は映像音声信号を直接に本体自身が所有するハードディスクなどのメモリ装置内にコピーできるということである。
【００１５】
図１および図２に示すように、受信ターミナル１０６は無線トランシーバ装置１１０により第１チャンネルを見る要求を発信する。これとともに、本実施例の無線映像音声伝送装置１００上の無線トランシーバ装置１０４により受信した後、この時のチューナーカードＴ１がアイドル状態にある時、制御ユニット２０４がチューナーカードＴ１を制御して、ケーブル１０２で受信ターミナル１０６が要求する画像音声信号にアクセスする。そして、圧縮した後に無線トランシーバ装置１０４から受信ターミナル１０６へ伝送し、受信ターミナル１０６により圧縮を解凍する。その結果、受信ターミナルは要求したチャンネル画面を表示することができる。
【００１６】
この時、受信ターミナル１０８も無線トランシーバ装置１１２により視聴するチャンネルの要求を発信するとともに本発明の無線映像音声伝送装置１００により受信するが、チューナーカードＴ２は既にアイドル状態になっているもう一箇所のチューナーカードであり、制御ユニット２０４がチューナーカードＴ２を制御してケーブル１０２上で受信ターミナル１０８が要求するチャンネル信号にアクセスする。そして圧縮した後、無線トランシーバ装置１０４により受信ターミナル１０８へ伝送され、受信ターミナル１０８が圧縮を解凍すると、受信ターミナルには要求したチャンネル画面が現れる。本実施例の受信ターミナル１０６は、チャンネルの要求信号を発信する以外にも特定チャンネル番組のコピーを要求した時に、本発明の制御ユニット２０４が保存装置２０６を制御し、この特定チャンネルの映像音声信号の保存を行うこともできる。
【００１７】
一方、無線トランシーバ装置１１０から発信された、例えば親子画面などで表示する二つのチャンネルを受信ターミナル１０６が受信する時、無線映像音声伝送装置１００が受信すると、制御ユニット２０４はアイドル状態にある、例えばチューナーカードＴ３およびチューナーカードＴ４などのチューナーカードを制御し、受信ターミナル１０６が要求する二つのチャンネルの信号にケーブル１０２上でアクセスするとともに、主機板２００により親子画面を有する信号に処理する。そして圧縮した後、無線トランシーバ装置１０４により受信ターミナル１０６へ伝送し、受信ターミナル１０６で圧縮を解凍すると受信ターミナルは要求した親子画面を表示することができる。ここで注意しなければならないことは、本発明が表示する画面は２つのチャンネルの親子画面だけに限定されないということであり、アイドル状態にあるチューナーカードがさらにあれば、受信ターミナルが要求するチャンネル画面を処理し、受信ターミナルで要求したチャンネル画面を表示することができる。
【００１８】
また、本実施例の無線映像音声伝送装置には、チャンネルを調整するソフトウェアを加えて、チューナーカードのリゾースを配分することもできる。例えば、無線映像音声伝送装置にチューナーカードが三つだけ配置された場合、そのうちの二つは受信ターミナルへ視聴する親子画面を提供し、もう一つのチューナーカードにはもう一つの受信ターミナルで視聴するもう一つのチャンネルを提供する。この時、もう一つの受信ターミナルが視聴を要求すると、本発明のチャンネル調整ソフトウェアは、強制的に親子画面の二つのチューナーカードを提供し、子画面のチューナーカードを取り出して、受信ターミナルの後日の使用に提供する。
【００１９】
本発明では好適な実施形態を前述の通り開示したが、これらは決して本発明を限定するものではなく、当該技術を熟知するものなら誰でも、本発明の精神と領域を脱しない範囲内で各種の変動や潤色を加えることができる。従って本発明の保護の範囲は、特許請求の範囲で予約した内容を基準とする。
【図面の簡単な説明】
【００２０】
【図１】本発明の無線映像音声伝送装置による映像音声の伝送を示す概略図である。
【図２】本発明による無線映像音声伝送装置を示す概略図である。
【符号の説明】
【００２１】
１００  無線映像音声伝送装置、１０２  ケーブル、１０４、１１０、１１２  無線トランシーバ装置、１０６、１０８  受信ターミナル、２００  主機板、２０４  制御ユニット、２０６  保存装置、Ｔ１、Ｔ２…Ｔｎ  チューナーカード
【図１】
2005151522.tif 000003
【図２】
2005151522.tif 000004